(57)【要約】【課題】袖扉の閉鎖軌跡上に障害物がある場合であっても、必要最低限の防火性能を確保する。【解決手段】戸先側端部に第１ガイド溝８Ａを備えた上側の第１扉体２と戸先側端部に第２ガイド溝８Ｂを備えた下側の第２扉体３とから袖扉を構成する。第１扉体２及び第２扉体３は、火災検知信号に基づいて、収納姿勢から閉鎖姿勢へ回動する。第２扉体３に閉鎖障害が生じて第１扉体２のみが閉鎖姿勢まで回動した時には、シャッターカーテン１を第１扉体２に対応する位置まで降下させる。【選択図】図６
2010048064.tif 000002
【特許請求の範囲】
【請求項１】
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、戸先側端部に第１ガイド溝を備えた上側の第１扉体と、戸先側端部に第２ガイド溝を備えた下側の第２扉体と、から構成されており、
前記第１扉体は、前記開口部の側壁に沿った収納姿勢から前記開口部の幅方向に延出する閉鎖姿勢へ回動可能であると共に、第１付勢手段によって閉鎖方向に付勢されており、
前記第２扉体は、前記開口部の側壁に沿った収納姿勢から前記開口部の幅方向に延出する閉鎖姿勢へ回動可能であると共に、第２付勢手段によって閉鎖方向に付勢されており、
前記第１扉体及び第２扉体は、火災検知信号に基づいて、収納姿勢から閉鎖姿勢へ回動するように構成されており、
前記第２扉体に閉鎖障害が生じて前記第１扉体のみが閉鎖姿勢まで回動した時には、前記シャッターカーテンを前記第１扉体に対応する位置まで降下させるように構成されている、
袖扉付き防火シャッター装置。
【請求項２】
前記第２扉体の閉鎖障害が解消されて閉鎖姿勢まで回動した時には、前記シャッターカーテンを床面まで再降下させて全閉状態とするように構成されている、請求項１に記載の袖扉付き防火シャッター装置。
【請求項３】
前記第１扉体と前記第２扉体は一体で収納姿勢から閉鎖姿勢へと回動するように構成されており、
前記装置は、
第１扉体と第２扉体が一体の状態にないことを検知する第１検知手段と、
第１扉体が閉鎖姿勢まで回動したことを検知する第２検知手段と、
シャッターカーテンの降下を制御する制御部と、
を備えており、
前記制御部は、
前記第１検知手段が作動状態にあり、前記第２検知手段が作動した時に、前記シャッターカーテンを前記第１扉体に対応する位置まで降下させ、
前記シャッターカーテンが前記第１扉体に対応する位置まで降下した後に、前記第１検知手段が非作動状態となると、前記シャッターカーテンを床面まで降下させて全閉姿勢とし、
前記第１検知手段が非作動状態にあり、前記第２検知手段が作動した時に、前記シャッターカーテンを床面まで降下させて全閉姿勢とする、
請求項１、２いずれかに記載の袖扉付き防火シャッター装置。
【発明の詳細な説明】
【技術分野】
【０００１】
本発明は、シャッターカーテンと、シャッターカーテンの幅方向の一側の端部を受け入れるガイド溝を戸先側端部に備えた袖扉とで、建物内部の所定部位を閉鎖する防火シャッター装置に関するものである。
【背景技術】
【０００２】
シャッターカーテンと、戸先側端部にガイド溝を備えた袖扉とで、防火区画部位を閉鎖する防火シャッターが知られている。このような袖扉連動防火シャッターは、袖扉の戸先側にガイド溝を形成することで、シャッターカーテンと袖扉間の固定柱を無くすことができるという利点がある。特許文献１には、類似の構成を備えた避難扉連動シャッターが開示されている。
【０００３】
しかしながら、上記従来の袖扉連動防火シャッターは、袖扉が閉鎖した信号を受けてシャッターカーテンが降下開始する機構であるため、袖扉の閉鎖軌跡上に障害物がある場合等には、袖扉の閉鎖障害が発生するのみならず、シャッターカーテンが降下しない、という欠点がある。
【特許文献１】実開昭４８−８０５５号
【発明の開示】
【発明が解決しようとする課題】
【０００４】
本発明は、袖扉を備えた防火シャッター装置において、袖扉の閉鎖軌跡上に障害物がある場合であっても、必要最低限の防火性能を確保できるようにすることを目的とするものである。
【課題を解決するための手段】
【０００５】
本発明が採用した技術手段は、
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、戸先側端部に第１ガイド溝を備えた上側の第１扉体と、戸先側端部に第２ガイド溝を備えた下側の第２扉体と、から構成されており、
前記第１扉体は、前記開口部の側壁に沿った収納姿勢から前記開口部の幅方向に延出する閉鎖姿勢へ回動可能であると共に、第１付勢手段によって閉鎖方向に付勢されており、
前記第２扉体は、前記開口部の側壁に沿った収納姿勢から前記開口部の幅方向に延出する閉鎖姿勢へ回動可能であると共に、第２付勢手段によって閉鎖方向に付勢されており、
前記第１扉体及び第２扉体は、火災検知信号に基づいて、収納姿勢から閉鎖姿勢へ回動するように構成されており、
前記第２扉体に閉鎖障害が生じて前記第１扉体のみが閉鎖姿勢まで回動した時には、前記シャッターカーテンを前記第１扉体に対応する位置まで降下させるように構成されている、
防火シャッター装置、
である。
【０００６】
一つの態様では、前記第２扉体の閉鎖障害が解消されて閉鎖姿勢まで回動した時には、前記シャッターカーテンを床面まで再降下させて全閉状態とするように構成されている。
【０００７】
一つの態様では、
前記第１扉体と前記第２扉体は一体で収納姿勢から閉鎖姿勢へと回動するように構成されており、
前記装置は、
第１扉体と第２扉体が一体の状態にないことを検知する第１検知手段（上下２段扉中間スイッチＳＷ１）と、
第１扉体が閉鎖姿勢まで回動したことを検知する第２検知手段（上部戸当りスイッチＳＷ２）と、
シャッターカーテンの降下を制御する制御部と、
を備えており、
前記制御部は、
前記第１検知手段が作動状態にあり、前記第２検知手段が作動した時に、前記シャッターカーテンを前記第１扉体に対応する位置まで降下させ、
前記シャッターカーテンが前記第１扉体に対応する位置まで降下した後に、前記第１検知手段が非作動状態となると、前記シャッターカーテンを床面まで降下させて全閉姿勢とし、
前記第１検知手段が非作動状態にあり、前記第２検知手段が作動した時に、前記シャッターカーテンを床面まで降下させて全閉姿勢とする。
【発明の効果】
【０００８】
袖扉の閉鎖軌跡上に障害物がある場合には、この障害物は床面上に置かれていることが殆どであり、また、障害物の高さが天井面まで達していることは極めて稀であると考えられる。したがって、本発明のように、袖扉を上側の第１扉体と第２扉体から構成することで、袖扉の閉鎖軌跡上に障害物がある場合であっても、２段扉の上側の第１扉体のみを閉鎖させ、シャッターカーテンを例えば天井から５００ｍｍの位置まで閉鎖することができる。下側の第２扉体が閉鎖しなくても、防火区画部位において、上部から一定高さＨ（５００ｍｍ以上）の防煙垂れ壁を形成することで、煙の流出を一定時間防ぐことができ、初期避難等に有効である。
【０００９】
また、袖扉の閉鎖軌跡上の障害物が撤去されると、第２扉体が閉鎖し、シャッターカーテンが床面まで降下して全閉姿勢となることで最終的に防火区画を形成することができる。
【発明を実施するための最良の形態】
【００１０】
本発明の実施形態を図面に基づいて詳細に説明する。袖扉付き防火シャッター装置は、建物内の空間の所定の防火区画部位に設置されており、火災時に、シャッターカーテン１と袖扉とで建物内空間を閉鎖して建物内を区画するように構成されている。袖扉は、上側の第１扉体２と下側の第２扉体３とから構成されており、下側の第２扉体３には、避難用の子扉４が第２扉体３に対して開閉可能に装着されている。本明細書において、「開口部」には、シャッターカーテン１と袖扉２によって閉鎖される建物内空間が含まれる。
【００１１】
図１は、全閉状態にある袖扉付き防火シャッター装置を示す概略正面図であって、左右の側壁５、６と天井ＣＬと床面ＦＬとで形成される開口部の幅方向の一部がシャッターカーテン１によって、残りの部分が第１扉体２及び第２扉体３によって、それぞれ閉鎖される。図示の例では、袖扉２が収納される側壁５は、袖扉付き防火シャッターによって閉鎖される開口部の幅方向に対して略９０度で延出しているが、側壁５は開口部の幅方向に対して９０度で延出するものに限定されるものではなく、９０度よりも大きい角度、例えば、略１８０度で延出するものでもよい。この場合、袖扉２は、収納姿勢から約１８０度回動することで閉鎖姿勢となる。また、図示の例では、シャッターカーテン１の片側に位置して袖扉２を備えているが、シャッターカーテン１の両側に位置して２つの袖扉を備えたものでもよい。
【００１２】
開口部全閉状態において、シャッターカーテン１の幅方向の一側の端部は、側壁５に形成されたガイド溝７内に受け入れられ、シャッターカーテン１の幅方向の他側の端部は、第１扉体２、第２扉体３の戸先側にそれぞれ形成されたガイド溝８Ａ、８Ｂ内に受け入れられる。
【００１３】
図示の例では、第１扉体２の高さ寸法は、第２扉体３の高さ寸法よりも小さい寸法となっており、第１扉体２と第２扉体３は、同幅・同厚さではあるが、前者が横長方形状、後者が縦長方形状の形状を備えている。第１扉体２の高さ寸法は、一つの態様では、５００ｍｍ以上の高さを備えている。第１扉体２、第２扉体３の寸法や形状は図示の例に限定されないことは言うまでもない。
【００１４】
図３に示すように、第１扉体２は、対向する面部２０、２１と、上端面２２、下端面２３、を備えており、戸先側端面にはガイド溝８Ａが形成されている。第１扉体２は、側壁６に対して平行に延びる収納姿勢と、側壁６に対して垂直に延びる姿勢、すなわち、開口部の幅方向に延びる閉鎖姿勢、との間で回動可能となっている。面部２０、２１において、面部２０が、収納姿勢にある第１扉体２が収納姿勢から閉鎖姿勢へと回動する場合の回動方向側に位置し、面部２１が、収納姿勢にある第１扉体２が収納姿勢から閉鎖姿勢へと回動する場合の回動方向とは反対側に位置している。
【００１５】
第２扉体３は、対向する面部３０、３１と、上端面３２、下端面３３、を備えており、戸先側端面にはガイド溝８Ｂが形成されている。第２扉体３は、側壁６に対して平行に延びる収納姿勢と、側壁６に対して垂直に延びる姿勢、すなわち、開口部の幅方向に延びる閉鎖姿勢、との間で回動可能となっている。面部３０、３１において、面部３０が、収納姿勢にある第２扉体３が収納姿勢から閉鎖姿勢へと回動する場合の回動方向側に位置し、面部３１が、収納姿勢にある第２扉体３が収納姿勢から閉鎖姿勢へと回動する場合の回動方向とは反対側に位置している。
【００１６】
第１扉体２、第２扉体３は、通常時には、側壁６に対して平行する収納姿勢で、側壁６に沿って収納されている。好ましい態様では、側壁６には凹部状の収納部６０が形成されており、通常時には、第１扉体２、第２扉体３は、側壁６に形成された収納部６０内に、第１扉体２、第２扉体３のそれぞれの一方の面部２０、３０が側壁６と面一となるように収納されている。図４に示すように、収納部６０は、収納姿勢における第１扉体２、第２扉体３の戸尻側に位置する戸尻側縦枠６０Ａと第１扉体２、第２扉体３の戸先側に位置する戸先側縦枠６０Ｂとの間の空間として形成されている。
【００１７】
第１扉体２の戸尻側には、第１扉体２を収納姿勢から閉鎖姿勢への回動させる自動閉鎖装置としてのオートヒンジ９が設けてあり、第１扉体２が自由な状態では、オートヒンジ９の付勢力によって、第１扉体２は、側壁６に平行な収納姿勢から、側壁６に対して垂直な姿勢、すなわち、開口部の幅方向に延出する閉鎖姿勢へ向かって自動的に回動する。
【００１８】
同様に、第２扉体３の戸尻側には、第２扉体３を収納姿勢から閉鎖姿勢への回動させる自動閉鎖装置としてのオートヒンジ（図示せず）が設けてあり、第２扉体３が自由な状態では、オートヒンジの付勢力によって、第２扉体３は、側壁６に平行な収納姿勢から、側壁６に対して垂直な姿勢、すなわち、開口部の幅方向に延出する閉鎖姿勢へ向かって自動的に回動する。第１扉体２、第２扉体を収納姿勢から閉鎖姿勢への回動させる自動閉鎖装置としてはオートヒンジ以外の他の手段が採用され得ることは当業者に理解される。
【００１９】
図３、図４において、参照番号１０は、第１扉体２の戸尻側の下端（図４に示すように切り欠かれている）と第２扉体３の戸尻側の上端との間で戸尻側縦枠６０Ａに片持ち状に設けた中間金具であり、中間金具１０は第１扉体２のオートヒンジ９の下端側、第２扉体３の上端に設けたトップピボットの上端側をそれぞれ回動自在に支持している。第２扉体３の図示しないオートヒンジは、一つの態様では、第２扉体３の戸尻側の下端側に設けてある。
【００２０】
通常時には、第１扉体２は、凹部６０内に設けた電磁レリーズ６１によって、凹部６０内に収まった状態、すなわち、側壁６に平行な収納姿勢で回動規制されており、収納姿勢が保持されている。電磁レリーズ６１は、火災検知信号を受けると解除されるようになっており、電磁レリーズ６１の解除後は、オートヒンジ９の付勢力で第１扉体２が自動的に閉鎖方向に回動する。このような電磁レリーズは、当業者によく知られている。また、第１扉体２を収納姿勢で保持する手段は、電磁的な保持手段（典型的には、電磁レリーズが例示される）に限定されるものではなく、他の手段が採用され得ることは当業者に理解される。
【００２１】
図３に示すように、第１扉体２の第１面部２０（収納姿勢において開口部に面している）の下端は、下端面２３よりも下方に突出することで、延出片２００が形成されている。一方、第２扉体３の第１面部３０の上端には、上端面３２より下方に位置する凹状の段部３００が形成されており、第１扉体２の延出片２００は、第２扉体３の上端面３２を越えて段部３００にまで延出している。したがって、収納姿勢において、第２扉体３の段部３００の開口部側には第１扉体２の延出片２００が位置することになる。第１扉体２を越えて第２扉体３が先に閉鎖方向へ回動することは、第１扉体２の下端の延出片２００に第２扉体３の上端の段部３００が当接することで規制される。
【００２２】
一つの態様では、第２扉体３には収納姿勢を保持する電磁レリーズは設けておらず、電磁レリーズによって収納姿勢が保持されている第１扉体２の下端の延出片２００に対して第２扉体３の上端の凹部３００が当接することで、第２扉体３の収納姿勢が保持されている。したがって、電磁レリーズの解除によって第１扉体２が自動的に閉鎖方向に回動することに伴って、第２扉体３の収納姿勢の保持が解除され、第２扉体３はオートヒンジによって自動的に閉鎖方向に回動することができる。尚、第２扉体３の収納姿勢を、火災検知信号を受けることで解除される電磁レリーズを用いて保持するようにしてもよい。
【００２３】
第１扉体２及び第２扉体３は、収納姿勢及び閉鎖姿勢において、一体の状態にあり、第１扉体２の下端の延出片２００に第２扉体３の上端の段部３００が接近ないし当接した状態である。さらに、一つの態様では、第１扉体２と第２扉体３とは、第１扉体２の下端の当り部２００に第２扉体３の上端の段部３００が接近ないし当接した状態で一体で回動して閉鎖姿勢となる。そのためには、第２扉体３のオートヒンジのばね力は、第１扉体２のオートヒンジのばね力よりも大きい力を備えており、第２扉体３を第１扉体２よりも大きい速度で回動させることが有利である。
【００２４】
第１扉体２の下端の延出片２００と第２扉体３の上端の段部３００の間、あるいは、第１扉体２の下端面２３と第２扉体３の上端面３２の間、に位置して、第１扉体２と第２扉体３とが一体の状態（第１扉体２の直下に第２扉体３が位置している状態）にないことを検知する上下２段扉中間スイッチＳＷ１が設けてある。すなわち、上下２段扉中間スイッチＳＷ１は、第１扉体２が第２扉体３から離れたことを検知するスイッチである。第１扉体２と第２扉体３が一体の状態にあるときは、上下２段扉中間スイッチＳＷ１はＯＦＦ（非作動状態）となっている。
【００２５】
図５（Ｂ）に示すように、開口部の幅方向の所定部位の上方の天井ＣＬ内に位置してシャッターケース１２が設けてあり、シャッターケース１２内には巻取シャフト１３が開口幅方向に延出しており、巻取シャフト１３の両端は、シャッターケース１２の左右に設けたブラケット１２ａに回転可能に支持されている。シャッターカーテン１の上端は巻取シャフト１３に連結されており、通常時には、シャッターカーテン１は巻取シャフト１３に巻装された状態でシャッターケース１２内に収納されている。通常時には、巻取シャフト１３の回転は規制されている。具体的には、開閉機（図示せず）の出力軸の回転をブレーキによって規制することで、開閉機の出力軸に連結されている巻取シャフト１３の回転が規制されている。煙感知や熱感知による火災検知信号が自動閉鎖装置に送信されると、自動閉鎖装置が開閉機のブレーキを解除し、巻取シャフト１３の回転規制が解除されて、シャッターカーテン１は調速手段によって調速されながら自重で降下する。
【００２６】
開口部の幅方向の所定部位の上方には、天井ＣＬに近接して、第１扉体２が閉鎖姿勢まで回動した時に当接する戸当り部１４が形成されている。戸当り部１４には、第１扉体２が閉鎖姿勢にあることを検知する上部戸当りスイッチＳＷ２が設けてある。上部戸当りスイッチＳＷ２は、閉鎖姿勢にある第１扉体２の上端面２２に対向した天井面に設けてもよい。
【００２７】
火災時に、火災検知信号を受けて第１扉体２が閉鎖姿勢まで回動して、第１扉体２が戸当り部１４に当接した時に、上部戸当りスイッチＳＷ２がＯＮ（作動状態）となると、制御部からの信号で自動閉鎖装置が開閉機のブレーキを解放することで巻取シャフト１３の回転規制が解除されて、シャッターカーテン１が自重で降下する。火災時に所定の信号を受けて自重降下する防火シャッターの基本的な構成（典型的には、自動閉鎖装置を備えている）は当業者によく知られている。
【００２８】
本実施形態では、制御部は、上下２段扉中間スイッチＳＷ１が非作動状態にあるか作動状態にあるかによって異なる制御を行なっている。具体的には、制御部は、シャッターカーテン１を所定位置で停止させるための第１リミットスイッチと第２リミットスイッチを備えている。第１リミットスイッチ、第２リミットスイッチは、一つの態様では、巻取シャフト１３に連結された開閉機の出力軸の回転を検出することでシャッターカーテン１の位置検出を行う。第１リミットスイッチは、出力軸の回転を検出することでシャッターカーテン１が床面まで降下したことを検知するものであり、第１リミットスイッチによる検出があると、制御部は自動閉鎖装置によって解放された開閉機のブレーキを復帰させることでシャッターカーテン１を停止させる。第２リミットスイッチは、出力軸の回転を検出することでシャッターカーテン１が第１扉体２の下端面２３の位置まで降下したことを検知するものであり、第２リミットスイッチによる検出があると、制御部は自動閉鎖装置によって解放された開閉機のブレーキを復帰させることでシャッターカーテン１を停止させる。上下２段扉中間スイッチＳＷ１が非作動状態にある時には、第１リミットスイッチのみが有効となって、シャッターカーテン１は床面まで降下して全閉姿勢となる。上下２段扉中間スイッチＳＷ１が作動状態にある時には、第２リミットスイッチのみが有効となって、シャッターカーテン１は第１扉体２の下端面２３の位置まで降下して全閉姿勢となる。尚、第１扉体２の高さ寸法にもよるが、第１扉体２の下端面２３まで降下しなくても十分な防煙垂れ壁の機能を発揮できるような場合には、第１扉体２に対応して所定位置までシャッターカーテン１を降下させればよく、必ずしも、第１扉体２の下端面２３までシャッターカーテン１を降下させなくてもよい。
【００２９】
第１リミットスイッチ、第２リミットスイッチを用いた制御は一つの態様を例示するに過ぎない。例えば、シャッターカーテン１を第１扉体２の下端面２３まで降下させる点について言えば、シャッターカーテン１を所定位置まで降下させて停止させる手段として様々な手段が取り得ることは当業者に理解され、このような手段としては、タイマーを用いるもの、巻取シャフト１３の回転数を検出することによるものを例示することができる。
【００３０】
このように構成された防火シャッター装置において、火災時に火災検知信号を受信すると、第１扉体２を収納姿勢に保持している電磁レリーズが解除され、オートヒンジ９のばね力により第１扉体２が閉鎖方向へ回動する。それと同時に、同じくオートヒンジのばね力によって第２扉体３も閉鎖方向へ回動する。第１扉体２と第２扉体３が一体（上下２段扉中間スイッチＳＷ１がＯＦＦの状態）で回動して閉鎖姿勢となると、第１扉体２が戸当り部１４に当接した時に、上部戸当りスイッチＳＷ２がＯＮとなって、ＳＷ２からの信号が制御部に送信されて、自動閉鎖装置を介してシャッターカーテン１が幅方向の一端側の端部がガイド溝７、他側の端部がガイド溝８Ａ、８Ｂに案内されながら全閉状態まで降下し、降下するシャッターカーテン１は第１リミットスイッチの検出により自動閉鎖装置によって解放された開閉機のブレーキを復帰させることで停止する。
【００３１】
一方、第２扉体３の閉鎖軌跡上の障害物等によって第２扉体３の閉鎖障害が発生すると、第１扉体２が第２扉体３から離れて上下２段扉中間スイッチＳＷ１がＯＮ（作動状態）となると共に、第１扉体２のみが閉鎖方向へ回動して、第１扉体２が戸当り部１４に当接した時に、上部戸当りスイッチＳＷ２がＯＮとなる。ＳＷ１、ＳＷ２からの信号が制御部に送信されて、自動閉鎖装置を介してシャッターカーテン１が幅方向の一端側の端部がガイド溝７、他側の端部がガイド溝８Ａに案内されながら第１扉体２の下端面の位置まで降下し、降下するシャッターカーテン１は第２リミットスイッチの検出により自動閉鎖装置によって解放された開閉機のブレーキを復帰させることで停止する（図６参照）。
【００３２】
したがって、第２扉体３の閉鎖軌跡上に障害物がある場合であっても、２段扉の上側の第１扉体２のみを閉鎖させ、第１扉体２の閉鎖をＳＷ２が検知して、シャッターカーテン１を例えば天井から５００ｍｍの位置まで閉鎖することができる。下側の第２扉体３は閉鎖しないが、防火区画部位において、上部から一定高さＨ（５００ｍｍ以上）の防煙垂れ壁を形成することで、煙の流出を一定時間防ぐことができ、初期避難等に有効である。
【００３３】
また、障害物を撤去した後は、第２扉体３がオートヒンジによって閉鎖を再開し、第２扉体３が閉鎖姿勢まで回動した時に、上下２段扉中間スイッチＳＷ１がＯＦＦ（非作動状態）となって、第１リミットスイッチのみが有効となって、制御部からの信号で、復帰されている開閉機のブレーキを自動閉鎖装置が再び解放することで、シャッターカーテン１が降下を再開して全閉状態まで降下し、降下するシャッターカーテン１は第１リミットスイッチの検出により自動閉鎖装置によって解放された開閉機のブレーキを復帰させることで停止する。
【００３４】
図３に示す参照番号１５は、開口部の上方に設けたラッチであり、第１扉体２が全閉姿勢まで回動して戸当り部１４に当接した時に、第１扉体２の上面２２に形成されたラッチ受け２２０にラッチ１５が嵌ってロックするようになっている。また、第１扉体２の下端面２３と第２扉体の上端面３２のいずれか一方にはラッチ（図示せず）、他方にはラッチ受け（図示せず）が設けてあり、閉鎖姿勢にある第１扉体２及び第２扉体３を収納する時にのみ、前記ラッチを前記ラッチ受けに嵌めることで、一方の扉体（例えば、第２扉体３）を回動させることで、第１扉体２と第２扉体３を一体で回動させて収納することができる。
【産業上の利用可能性】
【００３５】
本発明は、袖扉を備えた防火シャッターに用いることができる。
【図面の簡単な説明】
【００３６】
【図１】袖扉を備えたシャッターの全閉状態の概略正面図である。
【図２】（Ａ）は側壁に形成された収納部、（Ｂ）は収納部に収納された状態の袖扉（第１扉体及び第２扉体）を示す図である。
【図３】左図は閉鎖姿勢にある第１扉体の上端部位を示す図、中央図は一体の状態にある第１扉体及び第２扉体を戸先側から見た側面図、右図は一体の状態にある第１扉体及び第２扉体の縦断面図、である。
【図４】袖扉の収納姿勢と閉鎖姿勢を示す平面図、および、第１扉体の戸尻側の下端部と第２扉体の戸尻側の上端部を示す図である。
【図５】（Ａ）は袖扉（第１扉体及び第２扉体）を備えた防火シャッターの第１扉体部分、（Ｂ）はシャッター部分の縦断面図である。
【図６】第２扉体に閉鎖障害が生じ、第１扉体のみが全閉姿勢まで回動した時に、第１扉体に対応する位置までシャッターカーテンが降下した状態を示す図である。
【図７】火災時における防火区画部位閉鎖のフローチャートである。
【符号の説明】
【００３７】
１  シャッターカーテン
２  第１扉体
２００  延出片
３  第２扉体
３００  段部
ＳＷ１  上下２段扉中間スイッチ
ＳＷ２  上部戸当りスイッチ
【図１】
2010048064.tif 000003
【図２】
2010048064.tif 000004
【図３】
2010048064.tif 000005
【図４】
2010048064.tif 000006
【図５】
2010048064.tif 000007
【図６】
2010048064.tif 000008
【図７】
2010048064.tif 000009